(57)【要約】【課題】  床暖房装置として用いた場合に、床暖房パネル表面に波打ち状の変形が生じにくい床暖房装置を提供すること。【解決手段】    長板状の床材２下面に形成される凹溝３内に線状の熱源体４を収めた床暖房パネル１１を床下地１上に貼着してなる床暖房装置において、凹溝３の両側近傍に、凹溝３と並設して床下地１に貼着固定されない伸縮吸収部５を設けた床暖房装置を用いる。また、伸縮吸収部の端部分に細溝６を凹溝３と略平行に並設し、伸縮吸収部５の下面を床材２下面より上側に位置させ、さらに床暖房パネル１１と床下地１との間にアルミからなる均熱板８を介在させている。【選択図】図１
2005098527.tif 000002
【特許請求の範囲】
【請求項１】
長板状の床材下面に形成される凹溝内に線状の熱源体を収めた床暖房パネルを床下地上に貼着してなる床暖房装置において、凹溝の両側近傍に、凹溝と並設して床下地に貼着固定されない伸縮吸収部を設けたことを特徴とする床暖房装置。
【請求項２】
伸縮吸収部の端部分に、細溝を凹溝と略平行に並設したことを特徴とする請求項１記載の床暖房装置。
【請求項３】
伸縮吸収部の下面を床材下面より上側に位置させたことを特徴とする請求項１または２のいずれかに記載の床暖房装置。
【請求項４】
伸縮吸収部と床下地との間に、伸縮吸収部に非接着で該伸縮吸収部を覆うシート体を介在させたことを特徴とする請求項１または２のいずれかに記載の床暖房装置
【請求項５】
シート体を伸縮吸収部を覆うように予め床暖房パネル裏面に貼着しておくことを特徴とする請求項４記載の床暖房装置。
【発明の詳細な説明】
【技術分野】
【０００１】
本発明は、一般住宅や集合住宅に用いられる床暖房装置に関するものである。
【背景技術】
【０００２】
従来から、図３（ａ）に示すような、床材２の裏面側から熱源体４を埋設する凹溝３を設けた床暖房パネル１１を床下地１上に貼着固定して用いられる床暖房装置が知られている。利用者の好む表面化粧の施された床材を利用することができるため、床暖房装置の周辺部に用いられる床材の選択が、床暖房装置の表面化粧に合う床材を選択するのではなく、利用者が好む表面化粧の床材を床暖房パネルとして作ることができるため、利用者にとって選択の巾が広がり、インテリアコーディネートの面からも好ましいものである。この床材２は、一般には合板基材上に表面化粧材を貼着したものが使われている。また熱源体４としては、コードヒーター、面状ヒーター、ＰＴＣヒータ等の電気ヒーターや、管状体の内部に温水等の熱媒を流動させるものがよく知られている。このうち管状体のものには特開平１１−２１１１１２号公報に示されるものなどがある。
【０００３】
図３（ａ）では、  長板状の床材２下面に形成される凹溝３内に線状の熱源体４を収めた床暖房パネル１１を床下地１上に貼着してなる床暖房装置であって、床下地１と床暖房パネル１１との間には均熱効果を出す、アルミからなる均熱板８を介在させている。
【０００４】
一方、合板基材からなる床材２には、乾燥による収縮が生じるため実部分に目隙が生じるが、特に床暖房装置の場合には、床暖房パネル１１の凹溝３周辺部分に対して熱源体４で加熱がなされるため、合板基材に、より一層乾燥が進み収縮が大きく発生する。これを模式的に表わしたのが、図３（ｂ）であり、横長の楕円で囲った部分で特に乾燥が著しい。
【０００５】
このとき、床暖房パネル１１が床下地１に貼着固定されているため、収縮が生じた場合、床暖房装置表面側に下向きの収縮を生じさせ、特に凹溝３周辺部分はより大きく収縮して凹むため、床暖房装置の表面が波打つことになる。なお、床暖房パネル１１の下面は床下地１に固定されているので、収縮は全て表面側に生じることとなる。
【０００６】
また横方向にも収縮は生じる。これは凹溝３近傍（図３（ｂ）  縦長楕円で囲まれた部分）において、熱源体４によって加熱されることで、特に防水処理が施されていない凹溝３の木口部分から合板基材含有の水分が凹溝３内に放散され、また合板基材内で拡散も生じるためである。これら上下及び横方向の収縮により、床暖房装置表面が大きく波打つこととなっていた。
【特許文献１】特開平１１−２１１１１２号公報
【発明の開示】
【発明が解決しようとする課題】
【０００７】
本願発明は、上記背景技術に鑑みて発明されたものであり、その課題は、床暖房装置として用いた場合に、床暖房パネル表面に波打ち状の変形が生じにくい床暖房装置を提供することである。
【課題を解決するための手段】
【０００８】
上記課題を解決するために、本願発明は、長板状の床材下面に形成される凹溝内に線状の熱源体を収めた床暖房パネルを床下地上に貼着してなる床暖房装置において、凹溝の両側近傍に、凹溝と並設して床下地に貼着固定されない伸縮吸収部を設けたことを特徴とする床暖房装置としている。
【発明の効果】
【０００９】
本願発明の床暖房装置においては、凹溝の両側近傍に、凹溝と並設して床下地に貼着固定されない伸縮吸収部を設けたことで、上下方向に収縮が生じたときに、床暖房パネルの表面及び裏面がそれぞれ収縮により移動可能となっていため、一方方向にのみ収縮する場合に比べ、表面の凹みを少なく抑えることが可能となる。
【発明を実施するための最良の形態】
【００１０】
本願発明の最良の形態を、図１に示される以下の実施例にて説明する。なお図１は、実施例にて示される床暖房装置の要部断面図を示している（ハッチングは省略）。
【００１１】
本実施例では、長板状の床材２下面に形成される凹溝３内に線状の熱源体４を収めた床暖房パネル１１を床下地１上に貼着してなる床暖房装置において、凹溝３の両側近傍に、凹溝３と並設して床下地１に貼着固定されない伸縮吸収部５を設けた床暖房装置である。
【００１２】
また本実施例では、伸縮吸収部の端部分に細溝６を凹溝３と略平行に並設し、伸縮吸収部５の下面を床材２下面より上側に位置させ、さらに床暖房パネル１１と床下地１との間にアルミからなる均熱板８を介在させている。この均熱板８は、熱源体４の放熱を周辺に効率的に伝えることを目的としている。このため凹溝３から遠い部分へも熱が伝わり、結果として床暖房パネル１１を構成する床材２の熱収縮を均す効果が期待できる。
【００１３】
実際には、図１に示す様に、均熱板８は第１接着剤７によって床暖房パネル１１に、また第２接着剤９によって床下地１に接着されている。また均熱板８は厚さ１５０μｍ程度のアルミ箔を用いている。
【００１４】
なお、伸縮吸収部５下面及び凹溝３に収められている熱源体４の下面にも、均熱板８を床暖房パネル１１下面から延設し、添わせている。また熱源体４は本実施例ではパイプに温水を流すものを示しているが、特にこれに限ることは無く、例えばコードヒータなどであっても構わない。
【００１５】
床暖房パネル１１を構成する床材２は、一般の床材に使われるものと同じ物を用いている。一例として、厚さ１２ｍｍの合板基材からなる床材を用いている。その他種々の層構成の床材を用いることができる。
【００１６】
この床材２下面に形成される凹溝３は、巾約７ｍｍ、深さ約８ｍｍの断面形状を持ち、伸縮吸収部５が床材２下面から約１ｍｍ〜２ｍｍ上にその下面が位置するように形成されている。この加工により、凹溝３に収められる熱源体４の下面が凹溝３から露出している。なお、熱源体４を構成するパイプには、樹脂製のものが用いられ、本実施例では外形が７ｍｍ強のものが用いられ、凹溝３内に押し込まれ保持されている。
【００１７】
伸縮吸収部５の端部分には、巾約０．５ｍｍ程度で深さが凹溝３とほぼ同じ細溝６が形成されている。この細溝６によって床材２が部分的に切断され、伸縮吸収部５の収縮の影響から床暖房パネル１１全体が影響を受けることを防ぐことが可能となっている。もちろん床暖房パネル１１全体の収縮の影響が伸縮吸収部５に伝わることも防いでいる。
【００１８】
実際の施工は、床下地１に床材用の接着剤（ウレタン系接着剤など）を塗布し、予め割付が成された床暖房範囲に本床暖房パネル１１を順に敷設し、熱源体４もそれぞれ配管接続（コードヒータの場合は電気配線を）をして行く。なお、ここで用いる床暖房パネル１１には、工場出荷段階で均熱板８が接着されたものを用いることが、施工時間短縮の上からも望ましい。次いで、床暖房範囲以外の周辺に用いる一般の床材を敷設して行き、その後は施工工程にのっとり、巾木などの造作材を施工し、全体を仕上げる。
【００１９】
床暖房装置の使用時には、熱源体４による加熱が開始され、熱源体４からの放熱により、周辺にも熱が伝わる。これにより、特に伸縮吸収部５部分が熱源体４からの距離も近く、内部乾燥が進み木材の乾燥収縮が生じる。このとき、伸縮吸収部５の下面は床下地１には接着されていないため、上下方向の収縮（図１、伸縮吸収部５の上下方向矢印）が上方向、下方向ともにほぼ均等に生じることとなり、伸縮吸収部５を設けない場合に比べ、床暖房パネル１１上面に生じる波打ち変形は抑えられる。
【００２０】
また、細溝６を伸縮吸収部５外側に形成しているため、乾燥による左右方向の収縮（図１、伸縮吸収部５の左右方向矢印）も、それぞれの方向にほぼ均等に生じ、細溝６を設けず凹溝３の側壁だけが引っ張られ変形する場合に比べて凹溝３周辺部分に生じる変形を少なく抑えることができる。なお、図示はしていないが、凹溝３の木口面及び細溝６の木口面に防湿塗装を施すことで、さらに内部乾燥による収縮を抑えることができ、さらに変形を小さくすることが可能である。
【００２１】
図２は、本発明のその他の実施例を示した図で、床暖房装置の要部断面図を示している（ハッチングは省略）。
【００２２】
本実施例は先の実施例と基本構成は同じであって異なる部分のみ説明すると、本実施例では、伸縮吸収部５と床下地１との間に、伸縮吸収部５に非接着で該伸縮吸収部５を覆うシート体１０を介在させている。すなわち、先の実施例では伸縮吸収部５の範囲を、伸縮吸収部５の下面が床材２下面より上に位置していることで決められていたが、本実施例ではシート体１０によってその範囲が決められる。
【００２３】
なお図２には、先の実施例と同様に伸縮吸収部５の端部分に細溝６が凹溝３と略平行に並設されているが、細溝６自体は無くても構わない。また床暖房パネル１１と床下地１との間に均熱板８を介在させている。
【００２４】
シート体１０は、特に接着剤を浸透せず伸縮吸収部５が床下地１に固定されない様にするために設けられる。本実施例ではシート体１０として、例えばＰＥＴフィルム（厚さ１２μｍ）のものを用いる。またシート体１０自体は、床下地１に接着がなされてしまうので、シート体１０が伸縮吸収部５に接着されない様に、シート体１０を伸縮吸収部５より大きく形成し、伸縮吸収部５の外側にて接着固定をしている。
【００２５】
図２の実施例では、凹溝３の両側の伸縮吸収部５を覆う大きさのシート体１０を、均熱板８の下側に固定していて、伸縮吸収部５を覆うように予め床暖房パネル１１裏面に貼着しておくが、別体でそれぞれ順に積層して形成しても構わない。
【００２６】
なお細溝６は、図１及び図２で示すそれぞれの実施例では、先に細溝６を形成し、均熱板８を貼着しているが、均熱板８で伸縮吸収部５とその他の部分とを連結してしまうことになるので、例えば、細溝部分には接着剤が塗布されないようにしてから均熱板８を貼着してもよい。特に本実施例の様に薄厚のアルミ箔を均熱板として用いるなら、床暖房パネル１１に収縮が生じた場合に、アルミ箔が追随しやすく良い。
【図面の簡単な説明】
【００２７】
【図１】本願発明の一実施形態である床暖房装置を示す、要部の部分拡大図である。
【図２】本願発明のその他の実施形態である床暖房装置を示す、要部の部分拡大図である。
【図３】従来技術の床暖房装置の実施形態を示す図であって、（ａ）要部の部分拡大図及び（ｂ）同要部の使用時の収縮が生じた状態を示した図である。
【符号の説明】
【００２８】
１  床下地
２  床材
３  凹溝
４  熱源体
５  伸縮吸収部
６  細溝
７  第１接着剤
８  均熱板
９  第２接着剤
１０  シート体
１１  床暖房パネル
【図１】
2005098527.tif 000003
【図２】
2005098527.tif 000004
【図３】
2005098527.tif 000005